(57)【要約】【課題】照明器具と組み合わせて天井面に設置可能で、音響を優れた周波数特性で受聴者に伝達できる音響装置を提供する。【解決手段】音響装置１は、胴体部１０と、胴体部１０に対して変位可能に設けられた複数のスピーカ部２０と、スピーカ部２０に取り付けられたスピーカユニット２２と、スピーカユニット２２から音声信号を出力させる音声信号処理部と、音響装置１の下側に照明器具を取り付けるためのレセプタクル１２を備える。スピーカ部２２は、胴体部１０に対して変位することにより、音響装置１に取り付けた照明器具の形状に応じてスピーカユニット２２の位置を設定できる。【選択図】図１
2015088978.tif 000002
【特許請求の範囲】
【請求項１】
胴体部と、該胴体部に対して変位可能に設けられた複数の可動部と、該可動部に取り付けられたスピーカと、該スピーカから音声信号を出力させる音声信号処理部と、を備えた音響装置であって、
前記音響装置の下側に照明器具を取り付けるための照明器具取り付け部を備え、前記可動部は、前記胴体部に対して水平方向に変位することにより、前記音響装置に取り付けた前記照明器具の形状に応じて前記スピーカの位置を設定できることを特徴とする音響装置。
【請求項２】
前記可動部は、前記胴体部に対して、前記スピーカを遠ざける方向と近づける方向に変位可能に設けられていること特徴とする請求項１に記載の音響装置。
【請求項３】
前記複数の可動部は、前記音響装置の重心位置が変化しないように、重心位置を対称点として対称形状となるように連動して変位することを特徴とする請求項１または２に記載の音響装置。
【請求項４】
前記音響装置に対する操作入力を可能とする操作入力部と、前記可動部を駆動して変位させるための駆動部と、該駆動部を制御する制御部と、を備え、
前記制御部は、前記操作入力部に対する操作入力に従って変化する前記音響装置の状態に基づいて前記駆動部を駆動させ、前記スピーカの位置を変更することを特徴とする請求項１〜３のいずれか１に記載の音響装置。
【発明の詳細な説明】
【技術分野】
【０００１】
本発明は、音響装置に関し、より詳細には、照明器具と組み合わせて天井面に設置可能とした音響装置に関する。
【背景技術】
【０００２】
近年、生活様式の多様化などにより、家庭内になるべく器具等の物を置かないような暮らし方をする人も増えている。このため部屋になるべく物を置かないか、置いても目立たないようにしたい、という一定のニーズがある。
音楽鑑賞等に関しても、オーディオセットなどを目立つ形で設置するのではなく、スピーカを壁や天井に埋め込むなど、なるべく目立たない形でオーディオセットを設置する方法がある。しかし、スピーカ等を埋め込み型で設置するには、建物の建築時から埋め込みに関して考慮する必要があり、既存の建物に後付けで埋め込み作業を行うのには困難が伴う。
【０００３】
また、スピーカ等を天井や壁などに固定し、設置スペースを節約する方法もある。例えば店舗などでは、省スペース性および客が容易に接触しないようにすることを考慮し、スピーカ取り付け金具などを用いて天井や壁などに複数のスピーカを固定する場合も多い。しかし、この場合もスピーカに接続する配線を追加する必要があり、手間がかかるうえ美観を損なう恐れがある。また、スピーカに対しては音声信号を無線等で伝送することもできるが、信号を再生するためには電力が必要となり、現実的には結線が必要となる。
【０００４】
この問題を解決するため、照明器具用の電力線を経由して電力を得て音声信号を再生する機器が発表されている。このような機器の例として、照明器具と音響機器を同列に設置することにより、電力を供給しつつ天井面への設置を可能とするものがある。
例えば特許文献１には、ケーブルの露出により天井が乱雑となることなく屋内の天井にスピーカを配設するスピーカ配設システムが開示されている。このシステムは、家屋における室内の天井や壁に設置され、照明装置を取り付け可能なライティングダクトと、無線送信されたオーディオ信号を受信する赤外線受信機を有し、ライティングダクトに取り付けられ、ライティングダクトを介して電源電力の供給を受けて赤外線受信機によって受信されたオーディオ信号が示す音を出力するスピーカ装置と、オーディオ信号を生成するディジタルオーディオプレイヤと、ディジタルオーディオプレイヤによって生成されたオーディオ信号を、赤外線受信機に向けて無線送信する赤外線送信機とを備えている。
【先行技術文献】
【特許文献】
【０００５】
【特許文献１】特許第５１６８６３２号公報
【発明の概要】
【発明が解決しようとする課題】
【０００６】
上記のような照明器具と音響機器とを同列に設置する構成によれば、音響機器を天井面に設置することができ、目立たない設置が可能である。しかし、天井面にスピーカが露出することには変わりなく、照明器具が故障して点灯していないかのような印象を与えかねない。また、ライティングダクトが設置されている個所には上記のような音響機器を設置できるが、ライティングダクトを新たに設置するには工事が必要となり、容易ではない。
天井面に取り付けるシーリングライトと音響機器を一体型にする構成も考えられるが、実際にスピーカが目立たないように照明器具を設計すると、必ずしも音響的に良好な位置にスピーカを設置できない。受聴者に対して直接スピーカを向けることは、照明の陰を作ることとなり、困難となるため、スピーカを照明の陰に設置せざるを得ない。このとき、周波数の高い音は直進性が高く、スピーカの軸上に遮蔽物があるとその軸方向にいる受聴者には高音が減衰して聞こえるので、受聴者に対して優れた周波数特性で音響を再生することが困難となる。
【０００７】
照明器具による影響を避けるために、照明器具の外周よりも外側に音響機器の腕を伸ばし、照明器具の外周よりも外側に受聴者に向けてスピーカを設置する方法もある。この場合、受聴者に対してスピーカの軸を向けることができるので、優れた周波数特性で音響を再生することができる。
しかし、このようなスピーカを取り付けた照明器具は専用設計する以外ないが、必ずしも使用者にとって好みのデザインのものが発売されるとは限らず、さらに照明器具の買い替えが必要となるのでコスト高となってしまう。
【０００８】
本発明は、上述した課題を鑑みてなされたものであり、照明器具と組み合わせて天井面に設置可能で、音響を優れた周波数特性で受聴者に伝達できる音響装置を提供することを目的とする。
【課題を解決するための手段】
【０００９】
上記課題を解決するために、本発明の第１の技術手段は、胴体部と、該胴体部に対して変位可能に設けられた複数の可動部と、該可動部に取り付けられたスピーカと、該スピーカから音声信号を出力させる音声信号処理部と、を備えた音響装置であって、前記音響装置の下側に照明器具を取り付けるための照明器具取り付け部を備え、前記可動部は、前記胴体部に対して水平方向に変位することにより、前記音響装置に取り付けた前記照明器具の形状に応じて前記スピーカの位置を設定できることを特徴としたものである。
【００１０】
第２の技術手段は、第１の技術手段において、前記可動部が、前記胴体部に対して、前記スピーカを遠ざける方向と近づける方向に変位可能に設けられていること特徴としたものである。
【００１１】
第３の技術手段は、第１または第２の技術手段において、前記複数の可動部が、前記音響装置の重心位置が変化しないように、重心位置を対称点として対称形状となるように連動して変位することを特徴としたものである。
【００１２】
第４の技術手段は、第１〜第３のいずれか１の技術手段において、前記音響装置に対する操作入力を可能とする操作入力部と、前記可動部を駆動して変位させるための駆動部と、該駆動部を制御する制御部と、を備え、前記制御部は、前記操作入力部に対する操作入力に従って変化する前記音響装置の状態に基づいて前記駆動部を駆動させ、前記スピーカの位置を変更することを特徴としたものである。
【発明の効果】
【００１３】
本発明によれば、照明器具と組み合わせて天井面に設置可能で、音響を優れた周波数特性で受聴者に伝達できる音響装置を提供することができる。
【図面の簡単な説明】
【００１４】
【図１】本発明による音響装置の実施形態１の外観を示す図である。
【図２】図１の音響装置の内部構成を説明する図である。
【図３】本発明に係る音響装置の要部の機能構成例を示す図である。
【図４】天井に取り付けた音響装置に対して照明器具をさらに取り付けた構成例を示す図である。
【図５】天井に取り付けた音響装置に対して照明器具をさらに取り付けた構成例の他の例を示す図である。
【図６】本発明による音響装置の実施形態２による機能構成例を示す図である。
【図７】本発明による音響装置の実施形態３の外観を示す図である。
【発明を実施するための形態】
【００１５】
以下、本発明に係る音響装置の実施形態を添付された図面を参照して具体的に説明する。なお、実施形態を説明するための全図において、同様の機能を有する部分には同じ符号を付け、その繰り返しの説明は省略する。
図１は、本発明による音響装置の実施形態１の外観を示す図で、図１（Ａ）は音響装置の側面外観図、図１（Ｂ）は音響装置の下面外観図である。また、図２は、図１の音響装置の内部構成を説明する図で、図２（Ａ）は音響装置を側面から見た内部構成を示す図、図２（Ｂ）は音響装置を下方から見たときの内部構成を示す図である。
【００１６】
音響装置１は、胴体部１０、２つのスピーカ部２０、およびローゼットアダプタ３０から構成されている。
２つのスピーカ部２０は、胴体部１０に取り付けられている。これら２つのスピーカ部２０は、それぞれスピーカ部筐体２１、スピーカユニット２２、およびラックアーム２３を備える。それぞれのスピーカ部２０は、胴体部１０の内部でスライド可能に保持され、胴体部１０に対して水平方向に伸縮して変位する。スピーカ部２０は、本発明の可動部に相当するもので、上記のように胴体部１０に対して変位可能に設けられていて、音響装置１に取り付けた照明器具の形状に応じてスピーカユニット２２の位置を設定できるようにしたものである。なおスピーカユニット２２は、本発明のスピーカに相当する。
【００１７】
胴体部１０は、胴体部筐体１１、胴体部１０の下方に照明器具を取り付けるためのレセプタクル１２、基板１３、およびギア１４を備えている。レセプタクル１２は、本発明の照明器具取り付け部に相当する。
胴体部１０の内部では、円形形状の胴体部筐体１１の中心位置にギア１４が回動可能に軸支されている。そして２つのスピーカ部２０のそれぞれのラックアーム２３がギア１４に係合し、ギア１４の回転とともにラックアーム２３が互いに平行に移動する。
【００１８】
これにより、２つのスピーカ部２０は、胴体部筐体１１に対してギア１４の回転軸位置を中心として放射方向に対称に伸縮する。伸縮による変位の方向は、胴体部筐体１１に対してスピーカユニット２２を遠ざける方向および近づける方向となる。
ここでは２つのスピーカ部２０は、音響装置１の重心位置を対称点として点対称の形状となるように連動して変位するので、音響装置１の重心位置が変化しないままスピーカ部２０を伸縮させることができる。よって、天井４０に設置されたレセプタクル４１に音響装置１を取り付けたときに、バランスがとれた状態でスピーカ部２０の形状を変化させることができ、安全である。
【００１９】
また、スピーカ部２０は、レセプタクル１２に取り付けた照明器具よりも外側（音響装置と照明器具を平面視したときに照明器具よりも外側）にスピーカ部２２を位置させることが可能であり、スピーカユニット２２のスピーカ軸上に遮蔽物がない状態を作り出すことができるので、優れた周波数特性で音声再生が可能となる。
【００２０】
図３は、本発明に係る音響装置の要部の機能構成例を示す図である。音響装置１は、入力部１０１、音声信号処理部１０２、制御部１０４、電源部１０５、及びリモコン受光部１０６、スピーカユニット２２等を備える。入力部１０１、音声信号処理部１０２、制御部１０４、電源部１０５等は、胴体部１０の基板１３に実装されたプロセッサなどによってその機能が実現される。
【００２１】
入力部１０１には、外部から音声信号が入力される。入力される音声信号は、有線で接続された外部機器から入力してもよく、あるいは音響装置１で記録メディアを再生して音声信号を入力するものであってもよい。また、無線通信により送信された音声信号を受信する構成としてもよく、あるいは音響装置１の入力部１０１にネットワーク接続の仕組みを備え、ネットワーク上のサーバ等に保持されたコンテンツから音声信号を取得できるようにしてもよい。この場合、電源供給のための電灯線を経由してネットワークに接続する仕組みになっていてもよい。以下では、入力部１０１は、無線通信により音声信号を入力するものとする。
【００２２】
音声信号処理部１０２は、入力部１０１に入力した音声信号をスピーカユニット２２から出力させるための音声信号処理を行う。音声信号処理部１０２には増幅部１０３が備えられ、増幅部１０３は、入力部１０１から入力された音声信号を増幅し、スピーカユニット２２に対して信号を出力する。また、増幅部１０３は、増幅率を可変できるようになっていてもよい。可変範囲は、無限大減衰（無音状態）から可変可能となっていることが好ましく、音質を変化させられるようになっているとなお好ましい。
【００２３】
制御部１０４は、音響装置１を制御するため、入力部１０１、音声信号処理部１０２、電源部１０５などの装置各部を制御する。制御部１０４は各部の設定値を保持するレジスタを有し、音響装置１の起動時や設定変更時にレジスタの内容を各部に伝え、設定値を各部に反映させる。また、リモコン受光部１０６は、音響装置１に付随する操作入力手段であるリモコン１０７から送信されたリモコン信号を受光して制御部１０４に伝える。制御部１０４はリモコンの信号に従って、レジスタの設定値を変更することにより各部に対して設定変更を行う。リモコン１０７及びリモコン受光部１０６は、本発明の操作入力部に相当する。
【００２４】
電源部１０５は、音響装置１の各部に電源を供給する。また、電源部１０５には、音響装置１と組み合わせて用いられる照明器具２に供給する電源を給電する給電部を設け、音響装置１の電源部１０５によって照明器具の照明用電源を制御するようにしてもよい。
より具体的には、電源部１０５は、レセプタクル１２に取り付けた照明器具２に供給する電源の通電・遮断制御を行ったり、発光モードの切り替え操作のために短時間の電源遮断機能を持たせたりしてもよい。照明器具２のなかには１秒程度の短時間の電源断操作で発光モードを切り替える機能、例えば明点灯・暗点灯・常夜灯などの発光モードを順に選んでいく機能をもつものがある。このような照明器具を想定し、音響装置１側で照明器具２に対して１秒程度の電源断制御を行うことにより、照明器具の発光モードを変更することができる。
【００２５】
図４及び図５は、天井に取り付けた音響装置に対して照明器具をさらに取り付けた構成例をそれぞれ示す図である。図４および図５に示す構成は、照明器具２の形状が異なるものであるが、いずれも同様の構成及び取り付け手順にて照明器具２を音響装置１に取り付けることができる。
音響装置１を照明器具２と天井４０との間に設置する場合、まず、ユーザは、本音響装置１を目的とする位置に設置する。ここではユーザは、例えば部屋の天井４０に設置されたレセプタクル４１に音響装置１のローゼットアダプタ３０（図１〜図２参照）を取り付ける。ローゼットアダプタ３０は、レセプタクルに係合させて３０°程度回転させることでレセプタクルに固定することができる。
そしてユーザは、取り付けたローゼットアダプタ３０にさらに胴体部１０を取り付ける。胴体部１０は、ローゼットアダプタ３０に設けられた爪に対し胴体部１０を嵌め込むことにより取り付けることができる。これにより音響装置１を部屋の天井４０に取り付けることができる。
【００２６】
なお、胴体部１０の取り外しが可能となるように、ローゼットアダプタ３０に設けられた爪を解除することができるようになっていることとする。胴体部１０が分割してローゼットアダプタ３０を操作できるようになっていてもよいし、胴体部１０の外側からローゼットアダプタ３０に設けられた爪を押し込むことができるような構造になっていてもよい。
【００２７】
上記の手順で部屋の天井４０のレセプタクル４１に音響装置１を取り付けた後、ユーザは、音響装置１の下部に照明器具２を取り付ける。取り付け方は照明器具２により異なるが、概ね上記と同じ手順で、照明器具２のローゼットアダプタを音響装置１のレセプタクル１２（図１〜図２参照）に取り付け、そのローゼットアダプタに対して照明器具を嵌め込むことにより照明器具２を取り付けることができる。これらの作業により、図４、図５に示すように天井４０に音響装置１と照明器具２とを取り付けることができる。言い換えれば、天井４０と照明器具２との間に音響装置１を介在させて取り付けることができる。
【００２８】
この状態でユーザは、スピーカ部２０を胴体部筐体１１から引き出して、スピーカ部２０に内蔵されたスピーカユニット２２が、照明器具２の外周よりも外側に位置するように設定する。これにより、照明器具２の下方にいる受聴者とスピーカユニット２２との間に遮蔽物となる照明器具２が介在しない位置関係を実現できる。
照明器具２の設置が完了すれば、ユーザは音響装置１を使用した音声再生を行うことができる。例えばユーザは、音源を保持した無線送信機を操作して、無線送信機から音響装置１に音声信号を送信して再生出力させることができる。
【００２９】
具体的には、例えばユーザは、音響装置１に付属するリモコンと、音源を保持した無線送信機としての携帯用音楽再生機とを操作し、音響装置１と携帯用音楽再生機に内蔵された無線接続機能を実行させて接続確立モードに設定する。そして音響装置１と携帯用音楽再生器とを互いに認証させて通信接続を確立させ、携帯用音楽再生機から送信した音声信号を音響装置１で受信できるようにする。
【００３０】
次にユーザは、携帯用音楽再生機を操作し、音響装置１に対して音声信号を送信させる。より具体的には、ユーザは携帯用音楽再生機を操作し、音量を調節した上で音源ファイルを再生し、携帯用音楽再生機から音声信号を音響装置１に無線送信する。
音響装置１では、入力部１０１を構成する無線接続モジュールが音声信号を受信し、増幅部１０３に伝送する。増幅部１０３は、受信した音声信号の音量・音質を調節し、予め設定された増幅率で音声信号を増幅する。増幅された音声信号はスピーカユニット２２により再生出力される。
【００３１】
増幅部１０３は、音声信号の音量・音質を調整するが、ユーザは、リモコン１０７を用いて音量・音質の調整値を変化させることができる。ここではユーザは、送信側の携帯用音楽再生機で音量を調節することができるが、リモコン１０７を用いて受信側の音響装置１で音量を調整することもできる。
ユーザが音量の調整を行っていない状態では初期設定値が適用され、携帯用音楽再生機の音量設定を最大にしたときに音響装置１の最大音量で再生される程度の音量設定値となる。
【００３２】
また、音質設定はユーザの好みによって変更されてもよい。音質設定は、高音増強・低音増強・高音減衰・低音減衰・通過などから選択することができるが、通過設定でもスピーカの特性を補正するような設定になっているとなおよい。
そしてユーザがリモコンを操作すると、音響装置１のリモコン受光部がリモコン信号を受信し、制御部１０４に伝送する。制御部１０４は、リモコン信号を解読し、制御部１０４に保持されている設定値を変更して音響装置１の動作を変更する。
【００３３】
これら一連の操作により、ユーザは携帯用音楽再生機に記録されている音源ファイルの音声信号を音響装置１で再生させることができる。これにより、外形が異なる照明器具を取り付けても、スピーカユニット２２を目立たないよう設置することができ、かつスピーカユニット２２からの音が直接受聴者の耳に届くことにより、高音質な音声を再生できる音響装置を実現することができる。
【００３４】
図６は、本発明による音響装置の実施形態２による機能構成例を示す図である。本実施形態は、上記実施形態１の構成に加えて、スピーカ部２０を駆動して変位させるための駆動部１０８を設けたものである。音響装置１には、駆動部１０８として例えばモータを内蔵させ、モータの力でスピーカ部２０を駆動して伸縮させる。駆動部１０８の駆動動作は、リモコン１０７を使用してユーザにより任意に設定することができる。
【００３５】
この場合、制御部１０４では、リモコン１０７による操作入力に従って変化する音響装置１の状態に基づいて、スピーカ部２０を駆動してスピーカユニット２２の位置を変更させることができる。
例えば、音響装置１を使用しないときには、スピーカユニット２２を胴体部１０に近づけて、照明器具２の陰にスピーカユニット２２を隠すようにすることができる。このときに制御部１０４は、リモコン１０７による音響装置１の停止操作に応じて、スピーカ部２０を胴体部１０方向に変位させるように駆動部１０８を制御し、リモコン１０７により音響装置１の音声再生を開始する操作が行われたときに、スピーカ部２０を胴体部１０から外側に伸ばすように駆動部１０８を制御する。
【００３６】
スピーカ部２０が伸びたときの長さは、スピーカ部２０が伸長可能な最大長に設定してもよいが、照明器具の外側にスピーカユニット２２が位置するときの状態を予め記憶しておき、制御部１０４は、その位置情報に従ってスピーカ部２０を伸長させるように制御してもよい。スピーカユニット２２が照明器具の外側に位置するときの状態は、スピーカ部２０に位置センサを設けてその検出結果により判断してもよく、あるいはスピーカ部２０を所定長伸長させるために駆動部１０８にステッピングモータを使用してもよい。
【００３７】
図７は、本発明による音響装置の実施形態３の外観を示す図で、図７（Ａ）は音響装置の側面外観図、図７（Ｂ）は音響装置の下面外観図である。本実施形態の音響装置１は、上記実施形態１、２の伸縮式のスピーカ部の構成に代えて、揺動式のスピーカ部を構成したものでる。
図７に示すように、本実施形態の音響装置１は、胴体部１０、２つのスピーカ部２０、およびローゼットアダプタ３０から構成されている。胴体部１０は、胴体部筐体１１、胴体部１０の下方に照明器具を取り付けるためのレセプタクル１２、および基板１３を備えている。
【００３８】
２つのスピーカ部２０は、胴体部１０に取り付けられている。これら２つのスピーカ部２０は、それぞれスピーカ部筐体２１およびスピーカユニット２２を備える。それぞれのスピーカ部２０は、胴体部１０に対して矢印Ｍ方向に揺動動作を行うように軸支されている。
【００３９】
これにより２つのスピーカ部２０は、胴体部１０に近づく位置と、遠ざかる位置との間で揺動させることができ、任意の位置にスピーカユニット２２を位置させることができる。そしてこのときに２つのスピーカ部２０は、音響装置互いに連動して対称（点対称）に揺動するように構成されているので、音響装置１の重心位置が変化しないままスピーカ部２０を揺動させることができる。よって、天井に設置されたレセプタクルに音響装置１を取り付けたときに、バランスがとれた状態でスピーカ部２０の形状を変化させることができ、安全である。
【００４０】
スピーカ部２０は、レセプタクル１２に取り付けた照明器具よりも外側（音響装置と照明器具のユニットを平面視したときに照明器具よりも外側）に位置させることが可能であり、スピーカユニット２２の軸上に遮蔽物がない状態を作り出すことができるので、高音質再生が可能となる。
また、本実施形態の構成において、図６に示す駆動部１０８を設け、スピーカユニット２２を制御部１０４によって駆動させるようにすることができる。このときにリモコン１０７による音響装置１の停止操作や使用開始操作に応じて、スピーカ部２０を変位させるように駆動部１０８を制御させるようにすることができる。
【００４１】
上記各実施形態において、音響装置１には、スピーカユニット２２が２つ取り付けられているが、３つ以上取り付けたものであってもよい。この場合にも胴体部１０に対して伸縮動作または揺動動作を行うスピーカ部は、胴体部１０の中心を対称点として点対称に連動して動作することが好ましい。これにより、スピーカ部２０の位置が変化しても音響装置１の重心が変化しないため、安全に取り付け、設置作業を行うことができる。
【００４２】
また、各実施形態において、音響装置１に付属するリモコン１０７に、音響装置１に取り付けられる照明器具２の制御機能を持たせてもよい。例えばリモコン１０７に備えられた照明入切ボタンをユーザが操作すると、リモコン１０７からリモコン信号が送信され、制御部１０４が照明器具２に対して電源の供給を行ったり、電源の供給を停止したりする制御を行う。
また、リモコン１０７に備えられた照明調光ボタンをユーザが操作することにより、制御部１０４は、照明器具２に供給している電源を１秒程度遮断して照明器具２の調光を行う。また、スピーカ部２０の先端に照度センサを取り付け、照明器具２の明るさを検知できるようにしておくと、より確実な調光制御が可能となる。また音響装置１にタイマーを内蔵させて、一定の時刻になったら照明を暗くし、さらに常夜灯に切り替え、消灯する、などの制御が可能となる。
【００４３】
なお上記の各実施形態で記載されている技術的特徴（構成要件）は、お互いに組み合わせ可能であり、組み合わせることにより、新しい技術的特徴を形成することができる。
【符号の説明】
【００４４】
１…音響装置、２…照明器具、１０…胴体部、１１…胴体部筐体、１２…レセプタクル、１２…スピーカ、１３…基板、１４…ギア、２０…スピーカ部、２１…スピーカ部筐体、２２…スピーカユニット、２３…ラックアーム、３０…ローゼットアダプタ、４０…天井、４１…レセプタクル、１０１…入力部、１０２…音声信号処理部、１０３…増幅部、１０４…制御部、１０５…電源部、１０６…リモコン受光部、１０７…リモコン、１０８…駆動部。
【図１】
2015088978.tif 000003
【図２】
2015088978.tif 000004
【図３】
2015088978.tif 000005
【図４】
2015088978.tif 000006
【図５】
2015088978.tif 000007
【図６】
2015088978.tif 000008
【図７】
2015088978.tif 000009